(57)【要約】      （修正有）【課題】仮設的な床を容易に構築でき、また、建物躯体を損傷させずに独立して取り外すことができる床パネルを提供するとともに、この床パネルを用いた床構造、床部の施工方法および建物の躯体の再利用方法を提供する。【解決手段】床パネル１は、長方形枠状の床パネルフレーム１１と、プレート部材１３Ａと、上記床パネルフレーム１１に上記プレート部材１３Ａを介して連結されたブレースと、床梁繋ぎ１４とを備えている。上記プレート部材１３Ａは、上記床パネルフレーム１１の下面に溶接されて一部が床パネルフレーム１１の枠内側に水平に突出するように設けられており、上記突出する部分に、上記ブレースが固定される固定部および建物の躯体側部材２１に締結部材（ボルト・ナット３）により接合される締結部材接合部（ボルト挿通孔１３ｂを備える部分）を有する。【選択図】図９
2018100558.tif 000002
【特許請求の範囲】
【請求項１】
枠形状を有する床パネルフレームと、
上記床パネルフレームに連結されたブレースと、
上記床パネルフレームに接合されて一部が床パネルフレームの枠内側に水平に突出するように設けられ、上記突出する部分に、上記ブレースが固定される固定部と、建物の躯体に接合された躯体側部材に締結部材により接合される締結部材接合部と、を有するプレート部材と、
を備えることを特徴とする床パネル。
【請求項２】
請求項１に記載の床パネルにおいて、上記床パネルフレーム上に波板状プレートが設けられていることを特徴とする床パネル。
【請求項３】
請求項２に記載の床パネルにおいて、上記プレート部材における上記固定部および上記締結部材接合部を避けるように、上記波板状プレートが設けられていることを特徴とする床パネル。
【請求項４】
請求項１〜請求項３のいずれか１項に記載の床パネルにおいて、水平配置された上記躯体側部材に面接合されるように上記プレート部材が設けられていることを特徴とする床パネル。
【請求項５】
請求項１〜請求項４のいずれか１項に記載の床パネルにおいて、上記床パネルフレームの隅側に設けられた上記プレート部材における上記固定部および上記締結部材接合部の上下空間が開放されるように、上記隅側の短辺側フレーム部が、上記プレート部材における少なくとも上記固定部および上記締結部材接合部が設けられた領域の分だけ互いに離間する２本のフレーム部で構成されていることを特徴とする床パネル。
【請求項６】
請求項１〜請求項５のいずれか１項に記載の床パネルにおいて、上記プレート部材が上記床パネルフレームの対向するフレーム部に対向するように接合されており、これら対向するプレート部材に渡らせて床梁繋ぎが取り付けられていることを特徴とする床パネル。
【請求項７】
請求項１〜請求項６のいずれか１項に記載の床パネルの上記プレート部材における上記締結部材接合部が、建物の躯体である梁に接合された躯体側部材に、締結部材によって着脱可能に接合されていることを特徴とする床構造。
【請求項８】
請求項７に記載の床構造において、上記床パネルフレームの厚さは上記梁の梁せいよりも薄くされていることを特徴とする床構造。
【請求項９】
請求項７または請求項８に記載の床構造において、上記躯体側部材は、上記梁に水平配置で設けられ、上記梁より突出する突出部を有し、この突出部上に上記床パネルの上記床パネルフレームおよび上記プレート部材が位置していることを特徴とする床構造。
【請求項１０】
請求項１〜請求項６のいずれか１項に記載の床パネルが、工場で作製されて建築現場に搬送され、建物の躯体に接合された躯体側部材に接合されることを特徴とする床部の施工方法。
【請求項１１】
請求項７〜請求項９のいずれか１項に記載の床構造の梁から上記床パネルを取り外した建物の躯体を再利用して建物を建てることを特徴とする建物の躯体の再利用方法。
【請求項１２】
請求項１１に記載の建物の躯体の再利用方法において、上記床パネルを取り外した梁の上に波板状プレートを設け、この波板状プレート上にコンクリートを打設してコンクリート床を作製することを特徴とする建物の躯体の再利用方法。
【発明の詳細な説明】
【技術分野】
【０００１】
この発明は、建物の床に用いられる床パネル、床構造、床部の施工方法および建物の躯体の再利用方法に関する。
【背景技術】
【０００２】
特許文献１には、床荷重を受ける一対の平行な梁材と、その梁材間を連結する小断面の連結材と、それら梁材と連結材によって囲まれる空間に配置したブレース材からなる第１の床フレームと、一対のブレース材を斜辺とする三角形状の第２の床フレームとからなり、上記第１の複数の床フレームを桁梁方向に、その梁材が桁梁と直交方向となるようにして間隔を置いて配置するとともに、各第１の床フレーム間に上記第２の床フレームを配置する構造が開示されている。
【０００３】
また、特許文献２には、内向きの溝形鋼からなる一対の平行な長辺フレーム材およびこれら長辺フレーム材間に接合した複数本の短辺フレーム材からなる鋼製のパネルフレームと、上記鋼製パネルフレーム上に長辺に沿って設置された複数本の平行な木製の根太と、この根太上に設けられた床板とを備え、上記長辺フレーム材は建物躯体の梁または胴差となる床パネルが開示されている。
【０００４】
また、特許文献３には、ブレースをパネルフレームに組み付けたブレースパネルを用い、これを建物に組み付けることで建物にブレースを備えさせる、建物におけるブレースの取付け構造において、上記ブレースパネルのブレースの両端部に、ジョイント用金物が備えられ、該ジョイント用金物が、建物の柱及び／又は横架材に接合され、ブレースにかかる力がジョイント用金物を通じて柱及び／又は横架材に直接伝えられる構造が開示されている。
【０００５】
上記特許文献１は、床梁或いは胴差がパネルフレームを兼ねる構造であるため、仮設的な建物とすることには向かない。また、この特許文献１で床フレームと称されるものは、フレーム(枠)の構造を有しない。上記特許文献２も、床梁或いは胴差がパネルフレームを兼ねる構造であるため、仮設的な建物とすることには向かない。また、特許文献３は、床をパネル化する思想を開示しないし、また、パネルフレームと梁とが直接的に接合される構造となっている。
【先行技術文献】
【特許文献】
【０００６】
【特許文献１】特開平５−２９５８２８号公報
【特許文献２】特開平９−４１５３３号公報
【特許文献３】特開２００５−２８２１４４号公報
【発明の概要】
【発明が解決しようとする課題】
【０００７】
ここで、例えば、期間限定のイベント等で使用される建物を仮設し、また移設する等して最終的に、本格的な建て方(本設)で建物を建てることを考える。この場合に、さらに、上記仮設される床パネルを、建物躯体である梁から独立して取り外せる構成とし、この床パネルが外された躯体に本格的な床を設けて本設することを考える。しかしながら、上記のどの引用文献も、このような考えにおいて有用となるものではない。
【０００８】
この発明は、上記の事情に鑑み、仮設的な床を容易に構築でき、また、建物躯体を損傷させずに独立して取り外すことができる床パネルを提供するとともに、この床パネルを用いた床構造、床部の施工方法および建物の躯体の再利用方法を提供することを課題とする。
【課題を解決するための手段】
【０００９】
この発明の床パネルは、上記の課題を解決するために、枠形状を有する床パネルフレームと、
上記床パネルフレームに連結されたブレースと、
上記床パネルフレームに接合されて一部が床パネルフレームの枠内側に水平に突出するように設けられ、上記突出する部分に、上記ブレースが固定される固定部と、建物の躯体に接合された躯体側部材に締結部材により接合される締結部材接合部と、を有するプレート部材と、を備えることを特徴とする。
【００１０】
上記の構成であれば、例えば、当該床パネルを建物の梁等からなる枠状躯体内に上側から嵌め込んだ状態で、上記床パネルフレームの内側に突出する部分における上記締結部材接合部において、当該床パネルを建物の躯体側部材に締結部材を用いて接合するという作業方法を採用することができる。また、解体においても、上記床パネルフレームの内側に突出して位置することになる上記締結部材接合部において上記締結部材を緩めることにより、当該床パネルを簡単に取り外すことができる。すなわち、この床パネルは、仮設的な床を容易に構築でき、また、建物躯体を損傷させずに独立して取り外すことができる。
【００１１】
上記プレート部材における上記固定部および上記締結部材接合部を避けるように、上記波板状プレートが設けられていてもよい。これによれば、作業者は上記波板状プレート上に載って上記締結部材接合部等に対する作業を容易且つ安全に行うことができる。上記プレート部材における上記固定部および上記締結部材接合部を避けるように、上記波板状プレートが設けられていてもよい。
【００１２】
水平配置された上記躯体側部材に面接合されるように上記プレート部材が設けられていてもよい。これによれば、上記ブレースにかかる水平荷重を、上記躯体側部材を介して的確に建物躯体に伝達することができる。
【００１３】
上記床パネルフレームの隅側に設けられた上記プレート部材における上記固定部および上記締結部材接合部の上下空間が開放されるように、上記隅側の短辺側フレーム部が、上記プレート部材における少なくとも上記固定部および上記締結部材接合部が設けられた領域の分だけ互いに離間する２本のフレーム部で構成されていてもよい。これによれば、上記床パネルフレームの隅側におけるブレースの取付作業や建物の躯体側部材への接合作業が行い易くなる。
【００１４】
上記プレート部材が上記床パネルフレームの対向するフレーム部に対向するように接合されており、これら対向するプレート部材に渡らせて床梁繋ぎが取り付けられていてもよい。これによれば、床パネルの剛性の向上が図れる。
【００１５】
また、この発明の床構造は、上記床パネルの上記プレート部材における上記締結部材接合部が、建物の躯体である梁に接合された躯体側部材に、締結部材によって着脱可能に接合されることを特徴とする。これによれば、上記床パネルを建物躯体である梁から独立して取り外すことができ、この床パネルが外された躯体に本格的な床を設けて本設することが容易になる。
【００１６】
上記床パネルフレームの厚さは上記梁の梁せいよりも薄くされていてもよい。これによれば、上記梁間内空間において上記床パネルの下側に空間を形成することができ、この空間を利用して配管等を配置することができる。
【００１７】
上記躯体側部材は、上記梁に水平配置で設けられ、上記梁より突出する突出部を有し、この突出部上に上記床パネルの上記床パネルフレームおよび上記プレート部材が位置してもよい。これによれば、上記梁間内空間の上側から床パネルを降下させ、上記躯体側部材を介して床パネルを上記梁に支持させることができる。
【００１８】
また、この発明の床部の施工方法は、上記床パネルが、工場で作製されて建築現場に搬送され、建物の躯体に接合された躯体側部材に接合されることを特徴とする。かかる方法であれば、上記床パネルが工場で作製されるので、設計通りの寸法が確保された床パネルを現場において的確に組み立てていくことができる。
【００１９】
また、この発明の建物の躯体の再利用方法は、上記床構造の梁から上記床パネルを取り外した建物の躯体を再利用して建物を建てることを特徴とする。
【００２０】
上記再利用方法において、上記床パネルを取り外した梁の上に波板状プレートを設け、この波板状プレート上にコンクリートを打設してコンクリート床を作製するようにしてもよい。
【発明の効果】
【００２１】
本発明であれば、仮設的に建てられる建物の床として機能することができる一方、建物躯体から独立して取り外すことができて本格的に建てることを容易にする等の効果を奏する。
【図面の簡単な説明】
【００２２】
【図１】実施形態を示す図であって、床パネル（デッキプレートは図示を省略）を示した平面図である。
【図２】図１の床パネルの端側を拡大して示した平面図である。
【図３】図１の床パネルの床パネルフレームおよびこれに接合されたプレート部材を示した立体図である。
【図４】図１の床パネルの一部断面を示した概略の断面図である。
【図５】図１の床パネルの一部を示した概略の斜視図であり、仮想線部はデッキプレートの切除部を示している。
【図６】図１の床パネル（デッキプレートは図示を省略）を用いた床構造を示した平面図である。
【図７】図１の床パネル（デッキプレートは図示を省略）を用いた床構造を有する建物の骨組みを示した概略の立体図である。
【図８】図７の床構造における床パネルフレームに接合されたプレート部材と躯体側部材との位置関係を示した立体図である。
【図９】図７の床構造の一部断面を示した概略の断面図である。
【図１０】図７の床構造の一部を示した概略の立体図である。
【図１１】図７の床構造の一部を示した概略の立体図である。
【発明を実施するための形態】
【００２３】
以下、この発明の一態様に係る実施形態を添付図面に基づいて説明する。図１および図２に示すように、この実施形態の床パネル１は、長方形枠状の床パネルフレーム１１と、プレート部材１３Ａ，１３Ｂと、上記床パネルフレーム１１に上記プレート部材１３Ａ，１３Ｂを介して連結されたブレース１２と、床梁繋ぎ１４とを備えている。上記床パネルフレーム１１の各フレーム部は、例えばリップ溝形鋼からなり、その開口側を床パネルフレーム１１の枠内側に向けて配置されている。また、上記ブレース１２は、例えば棒状材或いは板状材からなる。また、上記床梁繋ぎ１４は、例えば溝形鋼からなり、その開口側を上に向けて配置されている。ここで、乾式床を構成するためには、水平荷重を伝達できる機構が必要になり、部材点数が増え、施工の手間が多くなるという課題があり、この実施形態では、この点についても解決を図る。
【００２４】
上記プレート部材１３Ａ，１３Ｂは、上記床パネルフレーム１１の下面に溶接されて一部が床パネルフレーム１１の枠内側に床パネル面と平行に(水平に)突出するように設けられた板部材からなり、上記突出する部分に、上記ブレース１２が固定される固定部および建物の躯体に接合された躯体側部材２１に締結部材である例えばボルト・ナット３を用いて接合される締結部材接合部を有する。
【００２５】
上記固定部は、例えば、図３にも示すように、各ブレース１２の固定箇所となる鉛直方向のボルト挿通孔１３ａを備える。すなわち、上記固定部は、ボルト挿通孔１３ａとその周囲の板部とにより構成されている。これらボルト挿通孔１３ａに設けられたボルト・ナットによって上記ブレース１２が上記プレート部材１３Ａ，１３Ｂに固定される。また、上記締結部材接合部は、例えば、上記ボルト挿通孔１３ａよりも中央側に位置し、２個の鉛直方向のボルト挿通孔１３ｂを備える。すなわち、上記締結部材接合部は、ボルト挿通孔１３ｂとその周囲の板部とにより構成されている。
【００２６】
また、上記床パネル１においては、上記ブレース１２のクロス状配置部が長手方向に例えば４セット設けられている。また、上記プレート部材１３Ａは、上記床パネルフレーム１１の対向する長辺フレーム部１１ａの中央側で対をなして例えば３セット設けられている。同様に、上記プレート部材１３Ｂは、上記床パネルフレーム１１の対向する長辺フレーム部１１ａの端側で対をなして例えば２セット設けられている。なお、上記プレート部材１３Ｂにおいては、上記ボルト挿通孔１３ａは１箇所だけ形成されている。
【００２７】
上記床梁繋ぎ１４は、上記の対をなすプレート部材１３Ａ間およびプレート部材１３Ｂ間に架け渡されて固定されている。各プレート部材１３Ａ，１３Ｂには、上記床梁繋ぎ１４をボルト・ナット固定するためのボルト挿通孔１３ｃが２箇所形成されている。
【００２８】
上記床パネルフレーム１１の対向する長辺フレーム部１１ａの内側であって、各プレート部材１３Ａ，１３Ｂが配置される箇所には、図４にも示すように、リップ溝形鋼のリップ部を跨ぐように第１板材１５が溶接されている。また、上記第１板材１５および上記プレート部材１３Ａ，１３Ｂにそれぞれ直交するように方形状の第２板材１６が設けられている。この第２板材１６は、その縁部が上記第１板材１５および上記プレート部材１３Ａ，１３Ｂに溶接されている。
【００２９】
上記床パネルフレーム１１の短辺部は、２本の短辺側フレーム部１１ｂからなっている。上記２本の短辺側フレーム部１１ｂにおける１本は当該床パネルフレーム１１の最も端に位置し、他の１本は上記プレート部材１３Ｂの上方位置から外れるように間隔をおいて設けられている。各短辺側フレーム部１１ｂは、一方の面部が上記長辺フレーム部１１ａに溶接されたＬアングルの他方の面部に、ボルト・ナット締結されている。また、上記２本の短辺側フレーム部１１ｂ間には補強部材１１ｃが架け渡されて固定されている。
【００３０】
また、図５にも示すように、上記床パネルフレーム１１上には、波形状プレートとしてデッキプレート１７がビス等の締結部材によって留め付けられている。そして、上記デッキプレート１７上には、例えば、現場作業によって合板等からなる木質ボード１８がビス等によって留め付けられる。なお、上記木質ボード１８を留め付けない場合もある。また、上記デッキプレート１７は、その長辺方向に波を連続させるものに限らず、短辺方向に波を連続させるものでもよい。上記デッキプレート１７および上記木質ボード１８は上記床パネルフレーム１１からその短辺方向側にはみ出る大きさを有している。なお、上記プレート部材１３Ａ，１３Ｂの締結部材接合部等に対する作業が適切に行えるように、当該プレート部材１３Ａ，１３Ｂ上に位置する上記デッキプレート１７の一部分を切り欠いている。すなわち、上記プレート部材１３Ａ，１３Ｂにおける上記固定部および上記締結部材接合部を避けるように、上記デッキプレート１７が設けられている。建築現場では、作業者は上記デッキプレート１７上を歩くことができる。また、上記床パネルフレーム１１の端側には上記デッキプレート１７を設けないこととしてもよく、この端側(胴差側)での留め付け作業等の効率化を図ることもできる。この場合、上記２本の短辺側フレーム部１１ｂの間隔或いは上記床梁繋ぎ１４による間隔を、人が落ちない程度の間隔にしておくことが望ましい。
【００３１】
上記床パネル１は、工場において上記床パネルフレーム１１上に上記デッキプレート１７が取り付けられた状態が作製され、現場へと搬送され、建物の躯体側部材２１に接合される。
【００３２】
図６および図７は、建物の躯体である例えばＨ鋼梁（胴差を含む）２に上記床パネル１（デッキプレート１７および木質ボード１８は図示せず）を取り付けた状態を示している。なお、上記第２板材１６には孔が形成されており、この孔にワイヤー先端の吊り金具を係止させ、上記ワイヤーをクレーンで引き上げることで、上記床パネル１を吊り上げることができる。また、上記床パネルフレーム１１においては、当該床パネルフレーム１１の外側に出る部位・部材は存在しておらず、このようにして吊り上げた床パネル１を上記Ｈ鋼梁２による当該床パネル１に対応した長方形の枠状空間内に降ろして置くことができる。
【００３３】
図８および図９にも示すように、上記躯体側部材２１には、上記ボルト挿通孔１３ｂに対応する位置に、ボルト挿通孔が形成されている。そして、上記躯体側部材２１のボルト挿通孔および上記締結部材接合部となる上記ボルト挿通孔１３ｂにボルト・ナット３を取り付け、このボルト・ナット３を締め付けることで上記床パネル１を上記躯体側部材２１に固定することができる。なお、作業者は、上記デッキプレート１７上に載っている状態で、このデッキプレート１７の切り欠いている箇所において上記ボルト・ナット３の一方を上記プレート部材１３Ａ，１３Ｂの下側から入れ、他方側を上側からねじ込んで固定することができる。上記切り欠いている箇所には、上記の固定作業後に、当該箇所を覆うように、別途デッキプレートまたはハット型のプレートを取り付けてビス固定する。解体時は、上記の別途設けたデッキプレートを取り外し、上記ボルト・ナット３を緩めて外すことで、上記床パネル１を上記躯体側部材２１から上方向に取り外すことができる。このとき、上記Ｈ鋼梁２を溶断等で損傷させることはない。
【００３４】
上記躯体側部材２１は、上記Ｈ鋼梁２のウェブ２ａに水平配置で溶接により固定されている。また、上記躯体側部材２１は上記Ｈ鋼梁２のフランジの突出長さを超えて長く突出しており、この突出する領域に、上記ボルト・ナット３が挿通される上記ボルト挿通孔が形成されているとともに、上記床パネルフレーム１１の長辺フレーム部１１ａおよび上記プレート部材１３Ａ，１３Ｂが置かれる。このように置かれた状態で上記ボルト・ナット３を締め付けられると、上記プレート部材１３Ａ，１３Ｂが上記躯体側部材２１に面接合状態で固定されることになる。また、上記の突出する領域の上方に上記第１板材１５および第２板材１６が位置する。
【００３５】
上記躯体側部材２１の配置高さは、上記床パネル１が取り付けられた状態で、上記デッキプレート１７が上記Ｈ鋼梁２の上側のフランジ２ｂ上に位置する高さとなっている。換言すれば、上記床パネルフレーム１１の厚みに上記プレート部材１３Ａ，１３Ｂの厚みを加算した高さが、上記上側のフランジ２ｂの上面よりも高くなるようにしている。
【００３６】
また、図１０および図１１に示すように、上記躯体側部材２１の下側には、これに直交し且つ上記Ｈ鋼梁２のウェブ２ａにも直交する鉛直配置の補強板２２が設けられている。この補強板２２は、上記躯体側部材２１の下面と上記Ｈ鋼梁２のウェブ２ａと下側のフランジ２ｂの上面に溶接されている。
【００３７】
このように、上記の床パネル１であれは、当該床パネル１を建物の梁等による枠状躯体内に上側から嵌め込んだ状態で、上記床パネルフレーム１１の枠内側に突出する部分における上記締結部材接合部（ボルト挿通孔１３ｂ）において、当該床パネル１を建物の躯体側部材２１に締結部材であるボルト・ナット３を用いて接合する作業を行うことができる。また、解体においても、上記床パネルフレーム１１の内側に突出して位置することになる上記締結部材接合部（ボルト挿通孔１３ｂ）において上記締結部材であるボルト・ナット３を緩めることにより、当該床パネル１を簡単に取り外すことができる。すなわち、この床パネルは、仮設的な床を容易に構築でき、また、建物躯体を損傷させず独立して取り外すことができる。また、このようなコンクリートの打ち込みのない乾式床とすることで、湿式と比較して部品点数を削減できる効果がある。
【００３８】
上記床パネルフレーム１１上にデッキプレート１７が設けられていると、作業者は上記デッキプレート１７上に載って上記締結部材接合部等に対する作業を容易且つ安全に行うことができる。
【００３９】
上記建物に水平配置される躯体側部材２１に上記プレート部材１３Ａ，１３Ｂが面接合されていると、上記ブレース１２にかかる水平荷重を、上記躯体側部材２１を介して的確に建物躯体であるＨ鋼梁２に伝達することができる。
【００４０】
また、上記床パネルフレーム１１の隅側に設けられた上記プレート部材１３Ｂにおける上記固定部および上記締結部材接合部の上下空間が開放されるように、上記隅側の短辺側フレーム部を、上記プレート部材１３Ｂにおける少なくとも上記固定部および上記締結部材接合部が設けられた領域の分だけ互いに離間する２本の短辺側フレーム部１１ｂで構成すると、上記床パネルフレーム１１の隅側でのブレース１２の固定作業や建物の躯体側部材２１への接合作業（ボルト・ナット３の締結作業）が行い易くなる。
【００４１】
上記床パネルフレーム１１の対向する長辺フレーム部１１ａにそれぞれ上記プレート部材１３Ａ，１３Ｂが対向するように接合されており、これら対向するプレート部材１３Ａ，１３Ｂに床梁繋ぎ１４が取り付けられていると、床パネル１の剛性の向上が図れる。
【００４２】
また、上記床パネル１を建物の躯体に固定した床構造は、上記床パネル１が、建物の梁側に接合された躯体側部材２１に、例えば、ボルト・ナット３の操作で着脱可能に接合されるので、上記床パネル１を簡単に建物躯体から独立して取り外すことができる。
【００４３】
また、上記床パネルフレーム１１の厚さが上記建物の上記Ｈ鋼梁２の梁せいよりも薄くされていると、上記Ｈ鋼梁２の梁間内空間において上記床パネル１の下側に空間を形成することができ、この空間を利用して配管等を配置することが可能になる。
【００４４】
上記躯体側部材２１が上記Ｈ鋼梁２に水平配置で設けられ、上記Ｈ鋼梁２より突出する突出部を有し、この突出部上に上記床パネルフレーム１１および上記プレート部材１３Ａ，１３Ｂが位置すると、上記Ｈ鋼梁２の梁間内空間の上方側から床パネル１を降下させてＨ鋼梁２に支持させる作業が容易に行え、現場での作業の効率化が図れる。なお、特許文献１では、Ｈ鋼梁の上下フランジに渡って支持プレート（５４）の鉛直板部が設けられるが、仮に、このような鉛直板部が上記Ｈ鋼梁２において存在していると、この鉛直板部の厚み分、上記床パネルフレーム１１の長辺フレーム部１１ａが上記Ｈ鋼梁２から離れて存在してしまう不利がある。この実施形態では、上記鉛直板部に相当する部材はないので、上記のような不利は生じない。
【００４５】
また、上記のように、上記床パネル１が、工場で作製されて建築現場に搬送され、建物の躯体に接合される方法であれば、上記床パネル１が工場で作製されるので、設計通りの寸法が確保された床パネル１を現場において的確に組み立てていくことができる。
【００４６】
また、この実施形態の建物の躯体の再利用方法においては、上記床構造を有する建物において上記床パネル１を取り外した躯体を再利用して建物を建てる。そして、この再利用方法において、例えば、上記床パネル１を取り外した上記Ｈ鋼梁２の上フランジ上に新たにデッキプレートを設け、このデッキプレート上にコンクリートを打設してデッキコンクリート床を作製する。
【００４７】
上記のように、床パネル１を建物の躯体側部材２１から取り外し、上記Ｈ鋼梁２上にデッキプレートを固定してデッキコンクリート床とする場合に、上記床パネルフレーム１１上のデッキプレート１７を再利用することも可能である。
【００４８】
また、上記躯体側部材２１を外さなくても、上記再利用において、上記デッキコンクリート床を作製することができる。すなわち、上記床構造を用いた建物の躯体の再利用方法であれば、上記床パネル１を支持する上記躯体側部材２１を外す必要はなく、これを外す場合の躯体への損傷も防止できる。また、梁としてＣ形鋼を用いることができるが、このような躯体再利用を考慮すると、Ｈ形鋼を用いるのが望ましいといえる。
【００４９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００５０】
１      ：床パネル
２      ：Ｈ鋼梁
２ａ    ：ウェブ
２ｂ    ：フランジ
３      ：ナット
１１    ：床パネルフレーム
１１ａ  ：長辺フレーム部
１１ｂ  ：短辺側フレーム部
１１ｃ  ：補強部材
１２    ：ブレース
１３Ａ  ：プレート部材
１３Ｂ  ：プレート部材
１３ａ  ：ボルト挿通孔
１３ｂ  ：ボルト挿通孔
１３ｃ  ：ボルト挿通孔
１４    ：床梁繋ぎ
１５    ：第１板材
１６    ：第２板材
１７    ：デッキプレート(波形状プレート)
１８    ：木質ボード
２１    ：躯体側部材
【図１】
2018100558.tif 000003
【図２】
2018100558.tif 000004
【図３】
2018100558.tif 000005
【図４】
2018100558.tif 000006
【図５】
2018100558.tif 000007
【図６】
2018100558.tif 000008
【図７】
2018100558.tif 000009
【図８】
2018100558.tif 000010
【図９】
2018100558.tif 000011
【図１０】
2018100558.tif 000012
【図１１】
2018100558.tif 000013